(57)【要約】【課題】浴室内へ酸素や芳香気体を供給することにより、入浴者がリフレッシュあるいはリラックスできる浴室空間を提供することを目的とする。【解決手段】浴室内に吹き出し用接続装置９と、浴室外に給気用接続装置８を設置し、吹き出し用接続装置９と給気用接続装置８を連通する通気管１０を設置し、吹き出し用接続装置９に吹き出し口１５を着脱自在に接続し、給気用接続装置８に気体供給装置１２を着脱自在に接続することにより、気体供給装置１２から通気管１０を通して浴室内に設置した吹き出し口１５から入浴効果を備えた気体を浴室内に供給することができ、各種の入浴効果を得ることが可能となるものである。【選択図】図１
2005261552.tif 000002
【特許請求の範囲】
【請求項１】
浴室内に吹き出し用接続装置と、浴室外に給気用接続装置を設置し、吹き出し用接続装置と給気用接続装置を連通する通気管を設置し、吹き出し用接続装置に吹き出し口を着脱自在に接続し、給気用接続装置に気体供給装置を着脱自在に接続した構成の浴室装置。
【請求項２】
浴室内から気体供給装置の操作可能とした制御手段を備えた請求項１に記載の浴室装置。
【請求項３】
給気用接続装置は、複数の気体供給装置が接続可能な構成の請求項１または２に記載の浴室装置。
【請求項４】
複数の異なる形状の吹き出し口を備えた請求項１〜３のいずれか１項に記載の浴室装置。
【請求項５】
通気管の途中に送風装置を備えた請求項１〜４のいずれか１項に記載の浴室装置。
【発明の詳細な説明】
【技術分野】
【０００１】
本発明は浴室内への入浴効果を高める各種気体を供給できる浴室装置に関するものである。
【背景技術】
【０００２】
従来、この種の浴室装置としては浴室外に設置した酸素発生装置からダクトで浴室内に酸素を供給する構成となっている（例えば、特許文献１参照）。
【０００３】
図６は、特許文献１に記載された従来の浴室装置を示すものである。図６に示すように、浴室１の天井２の上面に設置した酸素発生装置３と浴室内に設置した酸素吹き出し口４をダクト５で連通し、浴室１の内壁に設置したスイッチ６で酸素発生装置３を運転することにより、浴室内に酸素を供給する構成となっている。
【特許文献１】特開平８−１８９２１１号公報
【発明の開示】
【発明が解決しようとする課題】
【０００４】
しかしながら、前記従来の構成では、設置後は、酸素発生装置を固定的に設置しているため、入浴効果を高める他の気体を供給することはできず、また別の気体発生装置との交換も難しく、また酸素発生装置は設置した浴室専用となり他の場所で使用することができないため、使用面での自由度が低いという課題を有していた。
【０００５】
本発明は、前記従来の課題を解決するもので、浴室へ入浴効果を高める各種気体を自由に選択して供給可能とするもので、気体供給装置と吹き出し口を自由に交換可能とすることにより、供給する気体に最適な供給方法を採用することができるため入浴効果をより高めることができる浴室装置を提供することを目的とする。
【課題を解決するための手段】
【０００６】
前記従来の課題を解決するために、本発明の浴室装置は、浴室内に吹き出し用接続装置と、浴室外に給気用接続装置を設置し、吹き出し用接続装置と給気用接続装置を連通する通気管を設置し、吹き出し用接続装置に吹き出し口を着脱自在に接続し、給気用接続装置に気体供給装置を着脱自在に接続したものである。
【０００７】
これによって、気体供給装置から通気管を通して浴室内に設置した吹き出し口から入浴効果を備えた気体を浴室内に供給することができ、気体供給装置を取り換えることにより、供給する気体の種類を切り換え、各種の入浴効果を得ることが可能となり、また供給する気体に最適な吹き出し口を選択することもでき、しかも気体供給装置は浴室以外の場所でも使用可能となるものである。
【発明の効果】
【０００８】
本発明の浴室装置は、複数の気体供給装置の取り換えが容易に行なえ、気体の種類に最適な吹き出し口が選択可能とすることにより、複数の気体による入浴効果を容易また効率的にに提供することができる。
【発明を実施するための最良の形態】
【０００９】
第１の発明は、浴室内に吹き出し用接続装置と、浴室外に給気用接続装置を設置し、吹き出し用接続装置と給気用接続装置を連通する通気管を設置し、吹き出し用接続装置に吹き出し口を着脱自在に接続し、給気用接続装置に気体供給装置を着脱自在に接続した構成とすることにより、気体供給装置から通気管を通して浴室内に設置した吹き出し口から入浴効果を備えた気体を浴室内に供給することにより、入浴中に身体のリフレッシュやリラックスする効果を簡単に得ることができる、気体供給装置を取り換えることにより、供給する気体の種類を切り換え、複数の入浴効果を得ることが可能となり、また供給する気体に最適な吹き出し口を選択することもできるものであり、しかも気体供給装置は浴室以外の場所でも使用可能となるものである。
【００１０】
第２の発明は、特に、第１の発明の気体供給装置を浴室内から操作可能とした制御手段を備えることにより、入浴中に浴室内から気体供給装置の運転を自由に制御することができることとなり、より使い勝手が向上するものである。
【００１１】
第３の発明は、特に、第１または第２の発明の給気用接続装置を複数の気体供給装置が接続可能な構成とすることにより、給気用接続装置に種類の異なる複数の気体供給装置あらかじめ接続しておき、入浴者の好みや体調に合わせて供給する気体を容易に選択することがかのとなるため、使い勝手がより向上するものである。
【００１２】
第４の発明は、特に第１〜３のいずれか１つの発明の吹き出し口を複数の異なる形状のものを備えることにより、供給する気体に最適は形状の吹き出し口を選択することにより、より入浴効果的を高めることができるものである。
【００１３】
第５の発明は、特に第１〜３のいずれか１つの発明の通気管の途中に送風装置を備えることにより、送風装置で気体供給装置の送風能力を補助してすることができ、送風能力の弱い汎用の気体供給装置や送風機能を備えておらない気体供給装置でも使用可能となり、気体供給装置の選択範囲を拡大でき、また通気管の配管抵抗等による給気用接続装置からの気体風量の減少を補うことができるものである。
【００１４】
以下、本発明の実施の形態について、図面を参照しながら説明する。
【００１５】
（実施の形態１）
図１は本発明の第１の実施の形態における浴室装置の斜視図を示すものであり、図２、図３は別の形状の吹き出し口の斜視図を示すものである。
【００１６】
浴室７の外部に給気用接続装置８を設置し、浴室の内部には吹き出し用接続装置９を設置し、給気用接続装置８と吹き出し用接続装置９は通気管１０で連通可能に接続しており、通気管１０の途中には送風装置１１を設置し、給気接続装置８から吹き出し用接続装置９の方向に気体を送風できる構成となっている。
【００１７】
給気用接続装置８は酸素を供給する気体供給装置１２の気体供給パイプ１２ａと制御端子１２ｂが着脱自在に接続できる気体接続口８ａと端子接続口８ｂを備えており、端子接続口は制御配線１４を介して送風装置１１と浴室７の内部に設置された制御手段１３に電気的に接続してあり、制御手段１３には送風装置１１を作動させる送風スイッチ１３ａと気体供給装置を作動させる作動スイッチ１３ｂが設けてある。
【００１８】
吹き出し用接続装置９には吹き出し口１５が着脱自在に接続でき、図１に示す吹き出し口１５は入浴者の口元に酸素を供給するのに適した形状の酸素供給用のものである。
【００１９】
以上のように構成された浴室装置について、以下その動作、作用を説明する。
【００２０】
酸素を供給する気体供給装置１２と吹き出し口１５を接続した状態で、制御手段１３の送風スイッチ１３ａと作動スイッチ１３ｂを入れることにより気体供給装置１２と送風装置１１が作動し、気体供給装置１２から通気管１０と吹き出し口１５を介して入浴者の口元に酸素を供給することができる。
【００２１】
以上のように、本実施の形態においては、給気用接続装置と吹き出し用接続装置を通気管で連通し、酸素が供給できる気体供給装置と吹き出し口を着脱自在に接続することにより、酸素を入浴者の口元に供給することが可能となり、入浴者は酸素の供給を受けることにより身体の活性化が図られることによりリフレッシュ効果を得ることができる。
【００２２】
また、気体供給装置は着脱自在であるので、浴室で使用しない場合は他の場所で酸素供給装置として活用することが可能であり、また、汎用の酸素供給装置を本実施例の気体供給手段として使用することも可能である。
【００２３】
なお、本実施の形態の気体供給装置は酸素を供給する機能を備えたものであるが、これに限るものではなく、各種の芳香気体を供給する機能を備えた気体供給装置を採用することが考えられ、芳香気体を供給する場合、図２に示す吹き出し口１６を吹き出し用接続装置に接続することによる、芳香気体を浴室全体にむらなく放散することにより、入浴者はリラックスした気分で入浴することができるものである。
【００２４】
一方、入浴後の浴室のメンテナンスに使用できる機能として、気体供給装置をオゾンを供給する機能を備えたものとし、図３に示す吹き出し口１７を使用することにより、オゾンを浴室全体に供給することができ、浴室内を効果的に殺菌、脱臭することができる。
【００２５】
そして、本実施の形態においては通気管の途中に送風装置を設置したが、気体供給装置の送風機能が充分な能力を備えている場合には必ずしも必要ではなく、たとえ設置していても作動させる必要はない。また、送風装置を設置した本実施の形態においては気体供給装置に送風機能は必ずしも必要ではなく、芳香気体を供給する気体供給装置等においては送風機能がなくても使用可能である。
【００２６】
そしてまた、本実施の形態においては浴室内から気体供給装置を制御する制御手段を設置しているが、制御手段がなくても気体供給装置を直接制御することにより酸素供給の基本的な機能は発揮することができる。
【００２７】
（実施の形態２）
図４は本発明の第２の実施の形態における浴室装置の斜視図を示すものであり、図５は給気用接続装置の斜視図を示すものである。
【００２８】
図において給気用接続装置１８には酸素を供給する気体供給装置１２と芳香気体を供給する気体供給装置１９が接続してあり、給気用接続装置１８には気体接続口１８ａと端子接続口１８ｂを各々４個づつ備えているため、最大４個の気体供給装置を同時に接続することができるようになっている。
【００２９】
気体接続口１８ａは気体供給装置１２の気体供給パイプ１２ａを接続した時には自動的に開成し、気体供給パイプ１２ａを取り外した時は自動的に閉成するバルブ機構（図示せず）を備えている。
【００３０】
また、浴室７の内部に設置した制御手段２０には送風装置１１を作動する送風スイッチ２０ａと気体供給装置を選択して作動する選択スイッチ２０ａとを備えており、気体供給装置を単独で、または複数を同時に運転することも可能である。
【００３１】
なお、実施の形態１と同一符号のものは同一構造を有し、説明は省略する。
【００３２】
以上のように構成された浴室装置について、以下その動作、作用を説明する。
【００３３】
図４に示すように酸素を供給する気体供給装置１２と芳香気体を供給する気体供給装置１９を接続した状態で制御手段１３の選択スイッチ２０ａで両方の気体供給装置を選択すると、吹き出し口１５から酸素と芳香気体の混ざった気体が入浴者の口元に供給され、入浴者は酸素による身体のリフレッシュ効果と芳香気体によるリラックス効果を同時に享受することができ、健康的で快適な入浴を楽しむことができるものである。
【産業上の利用可能性】
【００３４】
以上のように、本発明の浴室装置は各種の気体を供給することにより使用者にリフレッシュとリラックスの効果を提供することが可能となるので、浴室に限らず居室や医療用装置などの用途にも適用できる。
【図面の簡単な説明】
【００３５】
【図１】本発明の実施の形態１における浴室装置の斜視図
【図２】本発明の実施の形態１における別の吹き出し口の斜視図
【図３】本発明の実施の形態１における別の吹き出し口の斜視図
【図４】本発明の実施の形態２における浴室装置の斜視図
【図５】本発明の実施の形態２における給気用接続装置の斜視図
【図６】従来の浴室装置の斜視図
【符号の説明】
【００３６】
７  浴室
８、１８  給気用接続装置
９  吹き出し用接続装置
１０  通気管
１１  送風装置
１２、１９  気体供給装置
１３、２０  制御手段
１５、１６、１７  吹き出し口
【図１】
2005261552.tif 000003
【図２】
2005261552.tif 000004
【図３】
2005261552.tif 000005
【図４】
2005261552.tif 000006
【図５】
2005261552.tif 000007
【図６】
2005261552.tif 000008